(57)【要約】【課題】ペット飼育を行う場合、居室内でのペット用小屋、排泄設備や用具等の準備、ペットの鳴声など騒音の発生、ペットによる床、柱、壁などのキズ、汚れ、臭いなどの問題、さらに、占有する庭がない場合、放し飼いができず、ペットの運動不足やストレスの発生など、飼い主となれば様々なリスクを持つ事となり、ペット飼育を簡単に始める事ができない。【解決手段】一般的に建築物の空間は動物と同居するための居住空間をもつことはなかったが、本発明は、建築物の空間利用において動物との共生を前提として、▲１▼飼育室、▲２▼動物用運動施設、▲３▼砂循環洗浄システムを使用した排泄設備を建築物に取り込むことで快適な居住環境を提供するものである。【選択図】  図２
2004239034.tif 000002
【特許請求の範囲】
【請求項１】
建築物の空間利用に関し、人間と動物とが共用もしくは共生を前提とした場合および動物が専用する場合において、飼育室（専ら動物をはじめ生物等の飼育等の用に供する室）を有する空間構成ならびに構成する要素およびシステムを備えた建築物。
【請求項２】
請求項１記載の飼育室であって、その目的以外の使用にも対応が可能であり、いわゆる多目的に使用できる室。
【請求項３】
請求項１、請求項２記載の飼育室であって、その目的のために既存の建築物の一部を改修し、または増築した室。
【請求項４】
請求項１記載の建築物もしくはその他の建築物の屋上または中間階において、人間と動物が共有できる空間を設置することにより、ペットなど動物の運動不足等の補完を行える動物用運動施設を有する建築物。
【請求項５】
請求項１記載の建築物またはその他の建築物の屋内または屋外空間において使用される、動物が排泄の用に供する排泄設備であって、砂等の粒状体を利用した洗浄システム（砂循環洗浄）を使用した排泄設備。
【発明の詳細な説明】
【０００１】
【発明の属する分野】
本発明は、主に居住を目的とした建築物において動物（ペット）の飼育設備並びに空間利用、空間構成要素およびシステムに関するものであり、建築物の用途、形態に捕われず適応される。
【０００２】
【従来の技術】
ペット飼育可能とされる建築物としては、従来においてペット用出入口、洗い場、エレベータ利用時の表示等のシステム、ペット用くぐり戸、換気設備等が設置されたものであって、飼育小屋や糞尿の処理等の設備は設置されておらず、必ずしも最適な動物との共生環境と言えるものではなかった。また、特許公開２００２−３６４１９２号公報に開示されているように、集合住宅の最上階の住居が屋上を占有する方式においては、他階の居住者は屋上を共有できないため、動物を放し飼いにすることは不可能であった。一方、ペットの糞尿の処理方法は特開平６−３３５３３５号公報並びに特許公開２００２−１４２５９７号公報に開示されているように、水洗式の洗浄便器であるため配管設備等の工事を必要とするものとなっているため、簡単に設置することができなかった。
【０００３】
【発明が解決しようとする課題】
ペット飼育を行う場合、居室内でのペット用小屋、排泄設備や用具等は飼い主が準備しなければならなかった。ペットの鳴声など騒音の発生には、近隣への配慮が必要であった。ペットによる床、柱、壁などのキズ、汚れ、臭いなどは、内装工事を行い補修しなければならなかった。さらに、占有する庭がない場合、放し飼いができず、ペットの運動不足やストレスが生じやすかった。飼い主はペットを連れて散歩しなければならず、外出を余儀なくされていた。このような事から、一旦飼い主となれば様々なリスクを持つ事となり、ペット飼育を簡単に始める事ができない場合も多くみられていた。
【０００４】
【課題を解決するための手段】
上記のように、一般的に建築物としては動物と同居するための居住空間をもつことはなかった。そこで、本発明は建築物の空間利用において動物との共生を前提として、▲１▼飼育室、▲２▼動物用運動施設、▲３▼砂循環洗浄システムを使用した排泄設備を建築物に取り込むことで快適な居住環境を提供するものである。
【０００５】
【発明の実施の形態】
以下に本発明の実施形態について、一例として共同住宅の場合において図面を参照とし、具体例を挙げ詳細に説明する。説明上、建築物本体についてのみとし、敷地および建築条件は問わない。共同住宅では、最下階から最上階までの住戸すべてを対象とする。動物との共生を前提とした空間構成ならび構成要素は次のようである。
【０００６】
はじめに、共同住宅の各世帯には動物と同居するための居住空間として飼育室が設置されている。飼育室は、防音・消臭機能、空調・換気設備、洗体・洗浄用設備等の一部または全てが備えられているもので、これらに伴う給排水設備、汚水設備、電気設備等の設備が附帯している。
【０００７】
また、排泄のしつけが可能な動物においては、飼育室内またはその他の空間に砂循環洗浄を使用した排泄設備を設置する。
【０００８】
さらに、建築物の屋上または中間階において、動物が共用できる広場を設置することにより、飼い主は動物を一時的にリリースし、動物の運動不足等の補完を行える運動施設を設置する。
【０００９】
動物が寿命、病気等で死亡したときにも、上記施設とは別に共同で利用できる慰霊牌と遺灰安置場所などが設けられている場合もある。
【００１０】
本実施例においては、上記の基本的空間および構成要素を有している。これらに関して、以下に各施設についての詳細を述べる。
【００１１】
▲１▼飼育室（図１、図２）とは、専ら動物をはじめ生物等の飼育の用に供する室をいう。従来のペット用小屋やフェンスのように飼い主が準備し、室内または屋外に設置するのではなく、飼育室として建築空間に組み込まれているものである。当該施設は犬猫をはじめ鳥類、爬虫類などの飼育に必要な面積、高さを持つ広さの室であり、本実施例では、２．２ｍ×１．８２ｍとしているが、任意の広さとする事ができる。
【００１２】
飼育室内の床、壁は耐久性のある材質で構成され、防音、防臭性能を持ち、温水等で洗浄できる防水性を持っている。床上部には交換可能なタイル状マットを敷きクッション性を持たせる。さらに、飼育する動物の生息環境に近い気温で調整できる設備が搭載できるよう、必要な電源の供給が可能となっている。また、床、壁の仕上材はキズ、破損等にも対応しやすいパーツで構成されているため、交換が容易である。
【００１３】
さらに、動物において病気発生を抑えるため、抗菌、殺菌、害虫駆除用の器具を取付けるために必要な設備を準備している。また、動物が高齢となり介護を必要とする場合では、飼育室内が観察できるようにカメラおよびモニターなどが設置できるように開口やスリーブを設けている。
【００１４】
▲２▼動物用運動施設（図２）は、床上部を土砂もしくは芝生等の地被類、または木材、アンツーカー、レンガなどを含む舗装材で、一部もしくは全部を覆ったもので、その下部には必要に応じて排水設備、保水設備、潅水設備等を設けたものである。舗装材に関しては、上記のほかにも、ゴム、ウレタンなどクッション性のある材料が適当である。
【００１５】
動物用運動施設への出入口には動物の不用意な飛び出しを防止するため、二重にした柵または門扉が設置されている。さらに、動物用の足洗い場を設けており、各階へ戻る際に床が汚れないようになっている。
【００１６】
また、飼い主の便を図り動物の排泄物処理の用に供する汚物流し、手洗い等の給排水設備を設置する。さらに、飼い主用のトイレ、休憩施設等を設置する事もできるようにする。
【００１７】
このほかに、特定の動物に対してその習性に合わせ、爪砥ぎ用ボード・マット、マーキング用ポール、排泄用砂場等の用具を動物用運動施設内に金具等で緊結できるようにする。これは、屋上に設置した場合、強風などで倒れたり飛散するのを防ぐためでもある。
【００１８】
▲３▼砂循環洗浄システムを使用した排泄設備（図３）とは、砂等の粒状体を糞尿処理に利用し、その一部を循環させ再利用した排泄設備である。この場合の「砂等の粒状体」とは、例えば、一般にペット用砂として使用されている殺菌済の砂やシリカまたはパルプ系のポリマー等、粒径の小さいものである。このような砂等の粒状体を利用して、排泄後のトレイより糞尿と一緒に排出する事によって糞尿処理するものである。
【００１９】
トレイには予め砂等の粒状体が充填されており、ペットが排泄した場合に、センサーもしくは手動で作動し、砂等の粒状体が糞尿と一緒にトレイよりトラップに排出される。排出された砂等の粒状体のうち汚濁固化していないものは、トラップを通過し再び砂貯留タンクに循環補充され、トレイに戻し再利用できる。砂等の粒状体の追加は砂貯留タンク上部開口より行う。排泄物および汚濁固化した砂等の粒状体は、トラップから排泄物ボックスに排出回収される。排泄物ボックスは本体より取り外し、適宜、交換することができるシステムである。
【００２０】
上記のシステムでは、センサーを利用する場合には、動物の個体に合わせ調節可能なセンサーとする。本体は、電源の供給によって作動する。従来の水洗式で問題となる給排水管等の設備工事がなく、また使用後の乾燥の手間が要らなくなる。
【００２１】
以上が詳細の説明であるが、これらの施設、設備等はその用途に於いて飼い主もしくは同居者と動物とが居住を共にする建築形態に限らず、動物専用施設としての建築物にも適応される。
【００２２】
【発明の効果】
本発明は建築物についての空間構成や機能、施設、設備について提案しているものであるが、生活の中で動物と共生できる環境が整うことによって、飼い主や同居者ならびに動物にとっての身体的、精神的効果、さらには社会的効果が期待される。
【００２３】
例えば、一人暮しの場合であっても、ペット飼育を比較的楽に始める事ができ、動物との共生が快適に行えることにより、動物と心を通わせ、癒され、生活に張りができる、といった生活面での楽しみが持てる。また、外出の際でも、飼育室に入れておく事によって鳴声など騒音の発生も気にすることなく部屋を空けることができる。さらに、共有する動物用運動施設においては、飼い主等、利用者同士の情報交換の場となり、円滑なコミュニケーションが促進される。このようなことから結果的に、動物を介在した地域コミュニティーの形成が実現される。
【００２４】
このほかに、動物の運動不足やストレスが解消される事に伴って、吼える、噛みつくなどの問題行動が減ると考えられる。このような事から、飼い主としての様々なリスクを減少させる事となり、ペット飼育をこれまでより簡単にできるようになるといえる。
【図面の簡単な説明】
【図１】本発明の実施形態に関して、一例にあげる共同住宅における飼育室を示す平面図である。
【図２】本発明の実施形態に関して、一例にあげる共同住宅の中間階における動物用運動施設を示す平面図である。
【図３】砂循環洗浄システムを示す模式図である。
【符号の説明】
▲１▼：飼育室
▲２▼：動物用運動施設
▲２▼−１：出入口用二重柵・門扉
▲２▼−２：動物用足洗い場
▲２▼−３：汚物流し
▲２▼−４：休憩施設
▲２▼−５：トイレ
▲２▼−６：爪砥ぎマット
▲２▼−７：排泄用砂場
▲２▼−８：マーキング用ポール
▲３▼：砂循環洗浄システム
▲３▼−１：砂貯留タンク
▲３▼−２：トレイ
▲３▼−３：開口部（開閉扉）
▲３▼−４：トラップ
▲３▼−５：循環ピット
▲３▼−６：排泄物ボックス
▲３▼−７：砂循環器
▲３▼−８：循環パイプ
▲３▼−９：センサー
▲３▼−１０：砂供給口
▲３▼−１１：上部開口
【図１】
2004239034.tif 000003
【図２】
2004239034.tif 000004
【図３】
2004239034.tif 000005